(57)【特許請求の範囲】
【請求項１】
物品が収納される複数の収納列を有する主板と、
上記主板の対向する一側の側部に折目を介して連設された一方および他方の側板と、
上記主板の対向する他側の側部に折目を介して連設された一方および他方の側片と、
組立時に対向する一方の側板と他方の側板との対向部に設けられ収納物品に対応する区画部とを備えた容器本体を設け、
上記容器本体の上記主板には複数の収納列に対応して組立時に容器内面となる側へ突出するように環状リブがそれぞれ設けられ、
該容器本体の上記各側板の左右両側部には複数の係止部をそれぞれ設け、
上記各側片には上記複数の係止部と対応するように係入凸部を設けて、容器の組立時に該係入凸部を上記係止部に係入させて容器の箱形状を保持すべく構成し、
上記容器本体の主板、各側板、各側片、環状リブおよび係入凸部は組立時に容器となるように熱可塑性合成樹脂板から展開状態に一体形成され、
上記一方および他方の各側片の外側には、平行な２条の折目を介して折返し片を一体形成し、
収納列間と対応するように該折目から折返し片の中間部まで延びる切れ目を形成し、
さらに、上記複数の収納列間を仕切り、かつ上記側板の区画部と対応する区画部が形成された仕切り部材を設け、
該仕切り部材は折目を介して対称の仕切り部が一体連設されたものを２つ折りと成し、
上記仕切り部材には上記切れ目に挿入係止させる係止舌片が一体形成された
容器構造。
【請求項２】
上記容器本体側の区画部および仕切り部材側の区画部は組立時にそれぞれ対向配置される一方の側板と仕切り部材と他方の側板との対向部から相互の対向方向へ突出するように形成され、かつ収納物品の出し入れ方向に延びるように構成された
請求項１記載の容器構造。
【請求項３】
上記容器本体側の一方の側板、他方の側板、一方の側片、他方の側片のうちの何れか１つの外端部には折目を介して蓋部材が連設された
請求項１または２記載の容器構造。
【発明の詳細な説明】
【０００１】
【発明の属する技術分野】
この発明は、タッチパネル、ＣＤ（コンパクトディスク）、ＦＤ（フロッピーディスク）、ＭＤ（磁気ディスク）等の収納物品を出し入れ可能に収納するような容器構造に関する。
【０００２】
【従来の技術】
従来、合成樹脂製の容器は、図１５に示すように、所定肉厚の樹脂平板１０１から一度に有底箱形の容器１０２に成形加工されていたが、成形時に樹脂が延ばされ、板厚が低下するので、容器１０２の強度が弱くなるうえ、偏肉が発生し、また抜き勾配が必要不可欠となることは勿論、図示の如く、容器１０２は箱形に成形されるので、保管時および輸送時に嵩高くなって、これら保管、輸送コストが大となる問題点があった。
【０００３】
【発明が解決しようとする課題】
この発明は、物品が収納される複数の収納列を有する主板と、側板と、連結片とを組立時に容器となるように展開状態に形成することにより、抜き勾配が不要かつ偏肉の発生がなく、容器強度を確保することができ、また嵩張らないので保管、輸送コストの低減を図ることができ、しかも、容器本体に仕切り部材を取付けることで多数の収納物品を複数列状に収納することができる容器構造の提供を目的とする。
【０００４】
【課題を解決するための手段】
この発明による容器構造は、物品が収納される複数の収納列を有する主板と、上記主板の対向する一側の側部に折目を介して連設された一方および他方の側板と、上記主板の対向する他側の側部に折目を介して連設された一方および他方の側片と、組立時に対向する一方の側板と他方の側板との対向部に設けられ収納物品に対応する区画部とを備えた容器本体を設け、上記容器本体の上記主板には複数の収納列に対応して組立時に容器内面となる側へ突出するように環状リブがそれぞれ設けられ、該容器本体の上記各側板の左右両側部には複数の係止部をそれぞれ設け、上記各側片には上記複数の係止部と対応するように係入凸部を設けて、容器の組立時に該係入凸部を上記係止部に係入させて容器の箱形状を保持すべく構成し、上記容器本体の主板、各側板、各側片、環状リブおよび係入凸部は組立時に容器となるように熱可塑性合成樹脂板から展開状態に一体形成され、上記一方および他方の各側片の外側には、平行な２条の折目を介して折返し片を一体形成し、収納列間と対応するように該折目から折返し片の中間部まで延びる切れ目を形成し、さらに、上記複数の収納列間を仕切り、かつ上記側板の区画部と対応する区画部が形成された仕切り部材を設け、該仕切り部材は折目を介して対称の仕切り部が一体連設されたものを２つ折りと成し、上記仕切り部材には上記切れ目に挿入係止させる係止舌片が一体形成されたものである。
【０００５】
上記構成の樹脂板は、熱可塑性樹脂板に設定することができ、熱可塑性樹脂としては、ＰＥＴ（ポリエチレンテレフタレート）、ＰＰ（ポリプロピレン）、ＰＥ（ポリエチレン）、ＰＳ（ポリスチレン）またはＰＣ（ポリカーボネート）等の合成樹脂を用いることができる。
【０００６】
上記構成により、保管時および輸送時には箱形に組立てない展開状態と成しておくことにより、嵩高くならないため、保管、輸送コストの低減を図ることができる。
また、樹脂板から一度に箱形に成形することなく、展開状態に形成するため、抜き勾配が不要で、かつ偏肉の発生がなく、また区画部がリブ（補強部材）として作用するので容器強度を確保することができる。
【０００７】
しかも、主板の対向する一側の各折目を介して一方の側板および他方の側板を折曲げ、次に主板の対向する他側の各折目を介して一方の側片および他方の側片を折曲げて、側板と側片とを連結すると、側板の対向部に区画部が位置し、かつ複数の収納列を有する箱形の容器本体に組立てられ、この状態の容器本体に仕切り部材を取付けると、多数の収納物品を複数列状に収納することができる。
【０００８】
さらに、上記容器本体側の一方および他方の側片の収納列間に切れ目を設け、仕切り部材の両端部には、該切れ目仕切り部材を着脱可能に係止する係止舌片が設けられたものであるから、収納物品の数量に対応して仕切り部材を簡単に着脱することができ、しかも、この仕切り部材で収納列間を適切に仕切ることができる。
【０００９】
この発明の一実施態様においては、上記容器本体側の区画部および仕切り部材側の区画部は組立時にそれぞれ対向配置される一方の側板と仕切り部材と他方の側板との対向部から相互の対向方向へ突出するように形成され、かつ収納物品の出し入れ方向に延びるように構成されたものである。
【００１０】
上記構成の出し入れ方向に延びる区画部は、連続状に延びる区画部と、不連続状に延びる区画部との双方とを含む。
上記構成により、容器の組立時には出し入れ方向に延びる区画部が対向するので、収納物品の出し入れ性向上を図りつつ、容器本体と仕切り部材との双方の充分な強度を確保することができる。
【００１１】
この発明の一実施態様においては、上記容器本体側の一方の側板、他方の側板、一方の側片、他方の側片のうちの何れか１つの外端部には折目を介して蓋部材が連設されたものである。
上記構成によれば、容器本体に蓋部材を連設したので、別体の蓋部材を用いることなく、容器の開口部を閉塞することができ、収納された物品の保護性能向上に図ることができる。
【００１２】
【実施例】
この発明の一実施例を以下図面に基づいて詳述する。
図面は熱可塑性合成樹脂製の容器構造を示し、この容器構造は図１〜図９に示す容器本体１と、図１０、図１１に示す仕切り部材３０とによって構成されるが、まず図１〜図９を参照して容器本体１の構成について説明する。
【００１３】
図１において、容器本体１は、一例として板厚約０．７mmのＰＥＴの樹脂平板から成形によって図１に示す如く展開状態に形成されたもので、成形後の肉厚は約０．６５mmに設定されている。なお、上記数値は一例であって、これに限定されるものではない。
【００１４】
この容器本体１は、図１に示すように、方形状の主板２と、この主板２の対向する一側の側部（図１では上下両側部）に折目ａ，ｂを介して連設された一方および他方の側板３，４と、主板２の対向する他側の側部（図１では左右両側部）に折目ｃ，ｄを介して連設された一方および他方の側片５，６と、組立時に対向する一方の側板３と他方の側板４との対向部に設けられ収納物品（図示せず）に対応する区画部としての区画リブ７，７とを備えている。
【００１５】
ここで、上述の折目ａ，ｂは互いに平行に形成され、また折目ｃ，ｄも互に平行に形成されている。これらの各折目ａ〜ｄとしてはミシン目または非ミシン目構造の通常の折目の何れであってもよい。
【００１６】
図２は主板２のみを拡大して示す平面図、図３は図２のＡ−Ａ線矢視断面図（但し、図示の便宜上、肉厚を省略した線図で示す）であって、この主板２は物品が収納される複数の収納列８を有する。この実施例では５列の収納列を例示しているが、これは２列を含む２列以上の任意の複数列に設定することができる。
【００１７】
この主板２には各収納列８に対応して組立時に容器内面となる側へ突出するように環状リブ９が設けられ、この環状リブ９の長手方向には略鋸歯状の凹凸部１０が一体形成されている。ここで、該凹凸部１０の凹部１０ａ（図３参照）は区画リブ７，７間の凹部と一致する。
【００１８】
また、上述の環状リブ９の長手方向相互間を連結するように複数かつ平行の補助リブ１１…を一体形成している。これらの各補助リブ１１は断面門形に形成されている。
上述の環状リブ９、補助リブ１１および凹凸部１０により主板１２の強度向上（剛性向上）を図るように構成している。
【００１９】
さらに上述の収納列８，８間には容器内方へ突出する複数のリブ１２を千鳥状に離間形成しているが、これらリブ１２は一直線上に離間形成してもよく、これらリブ１２により主板２の強度をさらに向上させている。
【００２０】
図４は一方の側板３のみを拡大して示す平面図、図５は図４のＢ−Ｂ線矢視断面図（但し、図示の便宜上、肉厚を省略した線図で示す）であって、この側板３の中間部には該側板３の長手方向に沿う凸状（容器内方へ突出する凸状）の座部１３を形成し、この座部１３に前述の区画リブ７…を互に平行に形成している。この区画リブ７は容器に組立てられた時、収納物品の出し入れ方向に延びるように構成されている。ここで、区画リブ７，７間つまりリブ間７ａ（図５参照）は図３の凹凸部１０における凹部１０ａと一致するものである。
【００２１】
なお、この実施例では連続状に延びる区画リブ７を示したが、不連続状に延びる区画リブとしてもよい。
また、上述の側板３の内側部つまり折目ａに近い側には凸状のリブ１４を一体形成し、側板３の外側部つまり折目ａと反対の側にも凸状のリブ１５を一体形成して、これらの各リブ１４，１５で側板３の強度向上を図っている。
【００２２】
さらに、上述の側板３の左右両側部には片側３個の係止部１６…を合計６個形成している。この係止部１６は容器内方へ突出する断面門形のものである。
なお、他方の側板４は上述した１方の側板３と対称構造であるから、同一の部分に同一符号を付している。
【００２３】
図６は一方の側片５のみを拡大して示す平面図、図７は図６のＣ−Ｃ線矢視断面図、図８は図６のＤ−Ｄ線矢視断面図、図９は図６のＥ−Ｅ線矢視断面図（但し、図７〜図９においては図示の便宜上、肉厚を省略した線図で示す）であって、方形状の側片主体１７を設け、この側片主体１７の幅方向両側には上述の折目ａ，ｂと一直線状となる折目ｅ，ｆを介して連続片１８，１９を一体形成すると共に、側片主体１７の長手方向外側には上述の折目ｃと平行な２条の折目ｇ，ｈを介して折返し片２０を一体形成している。
【００２４】
上述の側片主体１７の折目ｇの略半部には図６、図７に示すように収納列８に対応して合計５個の凸部２１…を一体形成し、これらの各凸部２１の中間部には係入凹部２２をそれぞれ一体形成している。
【００２５】
また、上述の側片主体１７の折目ｃ側の略半部には図６、図８に示すように容器内方へ突出する座部２３を一体形成し、この座部２３には収納列８，８間に対応して断面略Ｖ字形の凹状のリブ２４…を一体に離間形成している。
【００２６】
さらに、上述の収納列８，８間と対応するように、折目ｇから折返し片２０の中間部まで延びる係止手段としての切れ目２５…を離間形成している。
上述の折返し片２０には図６、図９に示すように、係入凹部２２と対応するように係入凸部２６…を一体形成している。これら係入凹部２２および係入凸部２６は、図１２に示すように、相互に係入されて容器の箱形状を強固に保つものである。
【００２７】
また、上述の各連結片１８，１９には、図４で示した係止部１６と対応するように各３個の係入凸部２７…を一体形成している。これらの各係入凸部２７は容器内方へ突出する断面門形のもので、容器の組立時に該係入凸部２７を図４の係止部１６に係入させて、容器の箱形状を外力に抗して保存するものである。
【００２８】
ここで、上述の側片主体１７に設けた凸部２１、係入凹部２２、座部２３、リブ２４により、一方の側片５の強度向上を図るように構成している。
なお、他方の側片６は上述した一方の側片５と対称構造であるから、同一の部分には同一符号を付している。
【００２９】
以上が容器本体１の構成であるが、次に図１０、図１１（図１１は図１０のＦ−Ｆ線矢視断面図であるが、図示の便宜上、肉厚を省略した線図で示している）について説明する。
【００３０】
この仕切り部材３０は、一例として板厚約０．７mmのＰＥＴの樹脂平板から成形によって図１０に示す如く展開状態に形成されたもので、成形後の肉厚は約０．６５mmに設定されるが、この数値に限定されるものではない。
この仕切り部材３０は折目ｉを介して一側の仕切り部３１と他側の仕切り部３２とが一体連設されたものである。
【００３１】
他側の仕切り部３２は図１０、図１１に示すように、仕切り部主体３３に環状かつ凸状のリブ３４を一体形成し、この環状リブ３４で囲繞された部分に若干容器内方へ突出する座面３５を形成して、この座面３５には組付け時に側板３，４の区画リブ７…と対応するように複数の区画リブ３６…を互に平行に一体形成している。この区画リブ３６は仕切り部３２を容器に組付けた時、収納物品の出し入れ方向に延びるように構成されている。またリブ間３６ａは前述のリブ間７ａ（図３参照）および凹部１０ａと一致するものである。
【００３２】
なお、この実施例では連続状に延びる区画リブ３６を示したが、不連続状に延びる区画リブとなしてもよい。
また、上述の仕切り部主体３３の外部側左右のコーナ部には上方へ突出する係止突部３７，３７を一体形成し、折目ｉ側の左右両部には前述の切れ目２５に挿入係止させる係止手段として係止舌片３８，３８が一体形成されている。
【００３３】
一側の仕切り部３１は、仕切り部主体３３の外部側左右のコーナ部に形成する要素を、上述の係止突部３７に係入するために下方へ突出する係入部３９，３９に設定した点が他側の仕切り部３２と異なるのみで、その他の構成については他側の仕切り部３２と対称構造に形成されているので、同一の部分には同一符号を付している。
【００３４】
この仕切り部材３０は上述の環状リブ３４、座面３５、区画リブ３６、係止突部３７、係入部３９により、その強度向上が図られている。
また、この仕切り部材３０は折目ｉを折り曲げ支点として図１１に矢印ｊで示すように他側の仕切り部３２側へ一側の仕切り部３１を折曲げ、係入部３９を係止突部３７に係止させ、所謂２つ折りにして用いるものであり、係入部３９の係止突部３７への係止により完全な２つ折り構造が確保され、この折り曲げられた状態下において各区画リブ３６…は外方へ突出するものである。
【００３５】
このように構成した容器本体１（図１〜図９参照）および仕切り部材３０（図１０、図１１参照）を図１２に示すように有底角筒状の開口部を有する箱状の容器に組立てるには、まず、主板２の一側の一対の折目ａ，ｂを介して一方の側板３と他方側板４とを立設させる。
【００３６】
次に、各側片５，６の２条の折目ｇ，ｈを介して折返し片２０を側片主体１７側へ折曲げて、係入凸部２６を係入凹部２２に係合させる。
次に、主板２の他側の一対の折目ｃ，ｄを介して一方の側片５と他方の側片とを立設させる。
【００３７】
次に、各側片５，６の両サイドの連結片１８，１９を折目ｅ，ｆに沿って折曲げ、係入凸部２７を各側板３，４の係止部１６，１６に係入すると、容器本体１の組立が完了する。
【００３８】
次に、２つ折りにされた仕切り部材３０を収納例８，８間に組付ける。この場合、仕切り部材３０の両端部に位置する係止舌片３８，３８を容器本体１側の切れ目２５に挿入係止すると、容器が組立て完了される。なお、図１２においては仕切り部材３０を１つのみ組付けた状態を示しているが、必要に応じて合計４枚の仕切り部材３０を組付けることができる。また、図１２においては、主板２を容器底部に設定した状態で図示しているが、側板３，４または側片５，６の何れを容器底部に設定して用いてもよい。
【００３９】
このように図１〜図１２で示した実施例の容器構造は、物品が収納される複数の収納列８を有する主板２と、上記主板２の対向する一側の側部に折目ａ，ｂを介して連設された一方および他方の側板３，４と、上記主板２の対向する他側の側部に折目ｃ，ｄを介して連設された一方および他方の側片５，６と、組立時に対向する一方の側板３と他方の側板４との対向部に設けられ収納物品に対応する区画部としての区画リブ７とを備えた容器本体１を設ける一方、上記複数の収納列８，８間を仕切り、かつ上記側板３，４の区画リブ７と対応する区画部としての区画リブ３６が形成された仕切り部材３０を設け、少なくとも上記容器本体１の主板２、各側板３，４および各側片５，６は組立時に容器（図１２参照）となるよう樹脂板から展開状態に形成されたものである。なお、この実施例では容器本体１と仕切り部材３０の双方を共に展開状態に形成している。
【００４０】
この構成により、保管時および輸送時には箱形に組立てない展開状態と成しておくことにより、嵩高くならないため、保管、輸送コストの低減を図ることができる。
また、樹脂板から一度に箱形に成形することなく、展開状態に形成するため、抜き勾配が不要で、かつ偏肉の発生がなく、また区画部（区画リブ７参照）がリブ（補強部材）として作用するので容器強度を確保することができる。
【００４１】
しかも、主板２の対向する一側の各折目ａ，ｂを介して一方の側板３および他方の側板４を折曲げ、次に主板２の対向する他側の各折目ｃ，ｄを介して一方の側片５および他方の側片６を折曲げて、側板３，４と側片５，６とを連結すると、側板３，４の対向部に区画部（区画リブ７参照）が位置し、かつ複数の収納列８を有する箱形の容器本体１に組立てられ、この状態の容器本体１に仕切り部材３０を取付けると、多数の収納物品を複数列状に収納することができる。ここで、収納物品は区画リブ７，７間と、区画リブ３６，３６間との相互間、または相対向する区画リブ３６，３６間の相互間に収納され、この場合、物品内奥側は略鋸歯状の凹凸部１０の凹部に位置する。
【００４２】
また、上記容器本体１側の区画部（区画リブ７参照）および仕切り部材３０側の区画部（区画リブ７参照）は組立時にそれぞれ対向配置される一方の側板３と仕切り部材３０と他方の側板４との対向部から相互の対向方向へ突出するように形成され、かつ収納物品の出し入れ方向（図１２に示す状態下にあっては上下方向）に延びるように構成されたものである。
【００４３】
この構成により、容器の組立時には出し入れ方向に延びる区画部（区画リブ７，３６参照）が対向するので、収納物品の出し入れ性向上を図りつつ、容器本体１と仕切り部材３０との双方の充分な強度を確保することができる。
【００４４】
さらに、上記容器本体１側の一方および他方の側片５，６の収納列８，８間と、仕切り部材３０の両端部とには、側片５，６に仕切り部材３０を着脱可能に係止する係止手段（切れ目２５、係止舌片３８参照）が設けられたものである。
【００４５】
この構成により、収納物品の数量に対応して仕切り手段（各要素２５，３８参照）によって仕切り部材３０を簡単に着脱することができ、しかも、この仕切り部材３０で収納列８，８間を適切に仕切ることができる。
【００４６】
図１３、図１４は容器構造の他の実施例を示す。なお図１３、図１４において前図と同一または同一機能を奏する部分には同一符号を付している。
この実施例では、一方の側板３の長手方向の外端部に折目ｋを介して蓋部材４０を一体連設したものである。
【００４７】
また、この実施例においても上述の容器本体１と、仕切り部材３０と、蓋部材４０とはＰＥＴなどの樹脂平板から図１３に示す如く展開状態に形成されたものである。
【００４８】
但し、この実施例においては、主板２の対向する他側の側部に前述の折目ｃ，ｄを含む合計３条の折目ｃ，ｍ，ｎ、折目ｄ，ｍ，ｎを介して一方の側片５と他方の側片６とを一体連設している。
【００４９】
また、これら各側片５，６の両サイドには容器円方へ突出する凸状の係止部４１，４１をそれぞれ２個ずつ一体形成している。
さらに、上述の各側板３，４の両サイドには折目ｐを介して連結片４２をそれぞれ一体形成すると共に、該連結片４２には上述の係止部４１と対応するように凸状の係入部４３をそれぞれ一体形成している。
【００５０】
一方、蓋部材４０側の構造は次のように構成されている。
すなわち、方形状の蓋主板４４の三方に折目ｒ，ｓ，ｔを介してそれぞれ折曲げ片４５，４６，４７を一体連設している。
【００５１】
そして、蓋主板４４には収納列８と対応して容器内方へ突出する物品保持用のリブ４８を一体形成している。このリブ４８は断面門形のリブで、収納列８に収納される物品を保持するためのものである。
【００５２】
また、折曲げ片４５，４６には、これら各片４５，４６のほぼ全域にわたるリブ４９を突出形成すると共に、上述の折曲げ片４５，４６の外方端部には容器内方へ突出する凸状の係止部５０，５０をそれぞれ２個ずつ一体形成している。
【００５３】
さらに、折曲げ片４７の幅方向の両サイドには折目ｕ，ｕを介して連結片５１，５１を一体連設し、これらの各連結片５１には上述の係止部５０と対応するように凸状の係入部５２をそれぞれ一体形成している。
【００５４】
このように構成した容器本体１、仕切り部材３０、蓋部材４０を、図１４に示すように、有底角筒状でかつ開口部を有する蓋付きの箱状の容器に組立てるには、まず、主板２の他側の各３条の折目ｃ，ｍ，ｎ、ｄ，ｍ，ｎを山折りにして一方の側片５と他方の側片６とを立設させる。
【００５５】
次に、主板２の一側の折目ｂを介して他方の側板４を立設させた後に、この側板４の両サイドの折目ｐ，ｐを介して連結片４２，４２を折曲げて、係入部４３を係止部４１に係合させると、一対の側片５，６と他方の側片４とを連結することができる。
【００５６】
次に、蓋部材４０側において蓋主板４４外部の三方の折目ｒ，ｓ，ｔに沿って各折曲げ片４５，４６，４７を折曲げると共に、折曲げ片４７の両サイドの折目ｕ，ｕに沿って連結片５１，５１を折曲げて、係入部５２を係止部５０に係合させると、対向する一対の折曲げ片４５，４６と他の折曲げ片４７とを連結して、蓋形状に成すことができる。
【００５７】
次に、主板２の一側の折目ａを介して一方の側板３を立設させた後に、この側板３の両サイドの折目ｐ，ｐを介して連結片４２，４２を折曲げて、係入部４３を係止部４１に係合させると、図１４に示すように蓋付きの箱状の容器となる。
【００５８】
次に、前述同様にして２つ折りにされた仕切り部材３０を収納列８，８間に組付ける。この場合、仕切り部材３０の両端部に位置する係止舌片３８，３８を容器本体１側の切れ目２５に挿入係止すると、容器の組立てが完了される。
【００５９】
なお、図１４においては、仕切り部材３０を１つのみ組付けた状態を示しているが、必要に応じて複数枚（この実施例の場合には最大３枚）の仕切り部材３０を組付けることができる。
【００６０】
このように図１３、図１４で示した実施例の容器構造においては、上記容器本体１側の一方の側板３、他方の側板４、一方の側片５、他方の側片６のうちの何れか１つの外端部（この実施例では一方の側板３の外端部）には折目ｋを介して蓋部材４０が連設されたものであるから、別体の蓋部材を用いることなく、容器の開口部を閉塞することができ、収納された物品の保護性能向上に図ることができる。
【００６１】
この図１３、図１４に示す実施例においても、その他の構成、作用、効果については図１〜図１２で示した先の実施例とほぼ同様であるから、図１３、図１４において前図と同一または同一機能部には同一符号を付して、その詳しい説明を省略する。
【００６２】
この発明の構成と、上述の実施例との対応において、
この発明の区画部は、実施例の区画リブ７，３６に対応し、
以下同様に、
係止手段は、容器本体１側の切れ目２５と、仕切り部材３０側の係止舌片３８とに対応するも、
この発明は、上述の実施例の構成のみに限定されるものではない。
【００６３】
例えば熱可塑性樹脂としてはＰＥＴ（ポリエチレンテレフタレート）に代えて、ＰＰ、ＰＥまたはＰＳやその他のＴＰ（Ｔｈｅｒｍｏｐｌａｓｔｉｃｓ、熱可塑性樹脂）であってもよい。
また、折目ａ〜ｉ、ｋ〜ｕはミシン目構造のもの、または非ミシン目構造の一般的な折目の何れを採用してもよい。
【００６４】
さらに、収納物品は、タッチパネルに限定されるものではなく、ＣＤ、ＦＤ、ＭＤやその他の各種の収納物品であってもよい。
さらには、上記区画リブ７，３６は物品出し入れ方向に連続状に延びる構成に代えて、物品出し入れ方向に不連続すなわち間欠状に形成された区画リブであってもよく、区画リブの形状はその他の任意の形状であってもよい。
また、展開状態から箱形状に成す際には上述の凹凸係合構成に代えて超音波や熱溶着その他の手段で接合してもよい。
【００６５】
【発明の効果】
この発明によれば、物品が収納される複数の収納列を有する主板と、側板と、連結片とを組立時に容器となるように展開状態に形成することにより、抜き勾配が不要かつ偏肉の発生がなく、容器強度を確保することができ、また嵩張らないので保管、輸送コストの低減を図ることができ、しかも、容器本体に仕切り部材を取付けることで多数の収納物品を複数列状に収納することができる効果がある。
【図面の簡単な説明】
【図１】  本発明の容器構造を示す展開図。
【図２】  主板の平面図。
【図３】  図２のＡ−Ａ線矢視断面図。
【図４】  側板の平面図。
【図５】  図４のＢ−Ｂ線矢視断面図。
【図６】  側片の平面図。
【図７】  図６のＣ−Ｃ線矢視断面図。
【図８】  図６のＤ−Ｄ線矢視断面図。
【図９】  図６のＥ−Ｅ線矢視断面図。
【図１０】  仕切り部材の展開図。
【図１１】  図１０のＦ−Ｆ線矢視断面図。
【図１２】  容器の斜視図。
【図１３】  本発明の容器構造の他の実施例を示す斜視図。
【図１４】  容器の斜視図。
【図１５】  従来容器の説明図。
【符号の説明】
１…容器本体
２…主板
３，４…側板
５，６…側片
７…区画リブ（区画部）
８…収納列
９…環状リブ
１６…係止部
２０…折返し片
２５…切れ目
２７…係入凸部
３０…仕切り部材
３１，３２…仕切り部
３６…区画リブ（区画部）
３８…係止舌片
４０…蓋部材
ａ，ｂ，ｃ，ｄ…折目
ｋ…折目
ｇ，ｈ，ｉ…折目
【図１】
0004739548.tif 000002
【図２】
0004739548.tif 000003
【図３】
0004739548.tif 000004
【図４】
0004739548.tif 000005
【図５】
0004739548.tif 000006
【図６】
0004739548.tif 000007
【図７】
0004739548.tif 000008
【図８】
0004739548.tif 000009
【図９】
0004739548.tif 000010
【図１０】
0004739548.tif 000011
【図１１】
0004739548.tif 000012
【図１２】
0004739548.tif 000013
【図１３】
0004739548.tif 000014
【図１４】
0004739548.tif 000015
【図１５】
0004739548.tif 000016